(57)【特許請求の範囲】
【請求項１】
ヒータコントロール本体に、複数の操作用リンクを揺動自在に配設し、各操作用リンクと対応する被操作媒体の作動用リンクとをコントロールケーブルのアウタケーブル内に摺動自在に挿通されたインナケーブルによって接続すると共に、前記ヒータコントロール本体に形成されたケーブル保持部に、前記コントロールケーブルのアウタケーブルの基端部を固定してなるケーブル駆動式ヒータコントロール装置であって、
ヒータコントロール本体に、操作用リンクを覆う遮蔽板を設けると共に、該遮蔽板上に、所望の操作用リンクに接続されるコントロールケーブルのケーブル保持部を形成し、且つ前記所望の操作用リンクを、その先端部が遮蔽板の上面レベルと略一致するよう屈曲せしめ、前記所望の操作用リンクのケーブル保持部を、隣接する操作用リンクの揺動範囲内に設置可能とし、且つ前記所望の操作用リンクのケーブル保持部に一端が接続されるコントロールケーブルを他の操作用リンクの上側を通過させて被操作媒体の作動用リンクに接続可能としたことを特徴とするケーブル駆動式ヒータコントロール装置。
【発明の詳細な説明】
【０００１】
【発明の属する技術分野】
本発明は、ケーブル駆動式ヒータコントロール装置に関するものである。
【０００２】
【従来の技術】
一般に、車両に搭載されるヒータコントロール装置は、図３に示される如く、ヒータコントロール本体１に、モード切換用と温度コントロール用と内外気切換用の三個の操作用リンク２，３，４を揺動自在に配設し、前記モード切換用の操作用リンク２と対応する被操作媒体としてのヒータユニット５の作動用リンク６とをコントロールケーブル７のアウタケーブル７ａ内に摺動自在に挿通されたインナケーブル７ｂによって接続し、前記温度コントロール用の操作用リンク３と対応する被操作媒体の作動用リンク（図示せず）とをコントロールケーブル８のアウタケーブル８ａ内に摺動自在に挿通されたインナケーブル８ｂによって接続し、前記内外気切換用の操作用リンク４と対応する被操作媒体の作動用リンク（図示せず）とをコントロールケーブル９のアウタケーブル９ａ内に摺動自在に挿通されたインナケーブル９ｂによって接続すると共に、前記ヒータコントロール本体１に形成されたケーブル保持部１０，１１，１２に、前記コントロールケーブル７，８，９のアウタケーブル７ａ，８ａ，９ａの基端部を固定してなる構成を有している。
【０００３】
前記モード切換用の操作用リンク２は、モード切換用の操作用ダイヤル１３を回すことによって回動する傘歯車１４と噛合する傘歯車部１５を備え、操作用ダイヤル１３の操作と連動して揺動するようになっている。
【０００４】
又、前記温度コントロール用の操作用リンク３は、温度コントロール用の操作用ダイヤル１６を回すことによって回動する傘歯車１７と噛合する傘歯車部１８を備え、操作用ダイヤル１６の操作と連動して揺動するようになっている。
【０００５】
更に又、前記内外気切換用の操作用リンク４は、該操作用リンク４から一体に延びる操作用レバー１９を水平方向へスライドさせることにより揺動するようになっている。
【０００６】
尚、図３中、２０は温風又は冷風が通過するダクトである。
【０００７】
【発明が解決しようとする課題】
図３に示されるような従来のケーブル駆動式ヒータコントロール装置においては、ヒータコントロール本体１の同一面における略同じ高さレベルに操作用リンク２，３，４並びにケーブル保持部１０，１１，１２を配設しているため、操作用リンク２，３，４の揺動範囲外にケーブル保持部１０，１１，１２を設置する必要があり、該ケーブル保持部１０，１１，１２の設置位置が制約を受け、この結果、図３の例の場合、特に、ダクト２０との干渉を避けて配設する必要のあるコントロールケーブル７の曲げがきつくなり、モード切換の際の操作力が重くなるという欠点を有していた。
【０００８】
又、操作用リンク２，３の傘歯車１４，１７と傘歯車部１５，１８との噛合部分等には作動を滑らかにするためのグリースが塗布されているが、このような部分を覆うものがないため、ヒータコントロール本体１のインストルメントパネル（図示せず）に対する組付時に作業員の手に前記グリースが付着し、インストルメントパネル等が汚れてしまう虞れがあった。
【０００９】
本発明は、斯かる実情に鑑み、コントロールケーブルの配索の自由度を増し、コントロールケーブルの曲げを緩くすることができ、ヒータコントロールの操作用リンクの操作力を軽減し得、且つヒータコントロール本体の組付時におけるグリースによる汚れを防止し得るケーブル駆動式ヒータコントロール装置を提供しようとするものである。
【００１０】
【課題を解決するための手段】
本発明は、ヒータコントロール本体に、複数の操作用リンクを揺動自在に配設し、各操作用リンクと対応する被操作媒体の作動用リンクとをコントロールケーブルのアウタケーブル内に摺動自在に挿通されたインナケーブルによって接続すると共に、前記ヒータコントロール本体に形成されたケーブル保持部に、前記コントロールケーブルのアウタケーブルの基端部を固定してなるケーブル駆動式ヒータコントロール装置であって、
ヒータコントロール本体に、操作用リンクを覆う遮蔽板を設けると共に、該遮蔽板上に、所望の操作用リンクに接続されるコントロールケーブルのケーブル保持部を形成し、且つ前記所望の操作用リンクを、その先端部が遮蔽板の上面レベルと略一致するよう屈曲せしめたことを特徴とするケーブル駆動式ヒータコントロール装置にかかるものである。
【００１１】
上記手段によれば、以下のような作用が得られる。
【００１２】
ヒータコントロール本体に、操作用リンクを覆う遮蔽板を設けると共に、該遮蔽板上に、所望の操作用リンクに接続されるコントロールケーブルのケーブル保持部を形成し、且つ前記所望の操作用リンクを、その先端部が遮蔽板の上面レベルと略一致するよう屈曲せしめると、所望の操作用リンクのケーブル保持部を、隣接する操作用リンクの揺動範囲内に設置することが可能となり、該ケーブル保持部の設置位置の制約が緩和され、しかも、前記所望の操作用リンクのケーブル保持部に一端が接続されるコントロールケーブルを他の操作用リンクの上側を通過させて被操作媒体の作動用リンクに接続することが可能となり、この結果、前記コントロールケーブルの曲げを小さくしなくて済み、ヒータコントロールにおける操作力の軽減につながる。
【００１３】
又、操作用リンクを覆う遮蔽板をヒータコントロール本体に設けたことにより、遮蔽板によって覆われる操作用リンクにグリースが塗布されていても、ヒータコントロール本体のインストルメントパネルに対する組付時に作業員の手が前記グリースの塗布部分に直接触れることがなくなって作業員の手にグリースが付着しにくくなり、インストルメントパネル等が汚れてしまうことが避けられる。
【００１４】
【発明の実施の形態】
以下、本発明の実施の形態を図示例と共に説明する。
【００１５】
図１及び図２は本発明を実施する形態の一例であって、図中、図３と同一の符号を付した部分は同一物を表わしており、基本的な構成は図３に示す従来のものと同様であるが、本図示例の特徴とするところは、図１及び図２に示す如く、ヒータコントロール本体１に、操作用リンク２，３を覆う遮蔽板２１を設けると共に、該遮蔽板２１上に、モード切換用の操作用リンク２に接続されるコントロールケーブル７のケーブル保持部１０を形成し、且つ前記モード切換用の操作用リンク２を、その先端部が遮蔽板２１の上面レベルと略一致するよう屈曲せしめた点にある。
【００１６】
本図示例の場合、ヒータコントロール本体１のベース１ａの手前側に遮蔽板支持部１ｂを一体に形成すると共に、前記ベース１ａの奥側所要位置にボス部１ｃを一体に形成してあり、前記遮蔽板２１のベース１ａに対する取り付けは、先ず、前記遮蔽板支持部１ｂの所要位置に穿設された孔１ｄに対して、遮蔽板２１から突設したピン２１ａを差し込み、且つ前記ボス部１ｃに対して遮蔽板２１の締付孔２１ｂを位置合わせした状態で、ビス２２を遮蔽板２１の締付孔２１ｂからボス部１ｃへねじ込み、遮蔽板２１をベース１ａに締め付けるようにしてある。
【００１７】
次に、上記図示例の作動を説明する。
【００１８】
前述の如く、ヒータコントロール本体１に、操作用リンク２，３を覆う遮蔽板２１を設けると共に、該遮蔽板２１上に、モード切換用の操作用リンク２に接続されるコントロールケーブル７のケーブル保持部１０を形成し、且つ前記モード切換用の操作用リンク２を、その先端部が遮蔽板２１の上面レベルと略一致するよう屈曲せしめると、操作用リンク２のケーブル保持部１０を、隣接する操作用リンク３の揺動範囲内に設置することが可能となり、該ケーブル保持部１０の設置位置の制約が緩和され、しかも、ケーブル保持部１０に一端が接続されるコントロールケーブル７を操作用リンク３，４の上側を通過させてヒータユニット５の作動用リンク６に接続することが可能となり、この結果、ダクト２０との干渉を避けて配設する必要のあるコントロールケーブル７の曲げを小さくしなくて済み、モード切換の際の操作力が軽くなる。
【００１９】
又、操作用リンク２，３の傘歯車１４，１７と傘歯車部１５，１８との噛合部分等には作動を滑らかにするためのグリースが塗布されているが、ヒータコントロール本体１には、操作用リンク２，３を覆う遮蔽板２１を設けてあるため、ヒータコントロール本体１のインストルメントパネル（図示せず）に対する組付時に作業員の手が前記グリースの塗布部分に直接触れることがなくなって作業員の手にグリースが付着しにくくなり、インストルメントパネル等が汚れてしまうことが避けられる。
【００２０】
こうして、コントロールケーブル７の配索の自由度を増し、コントロールケーブル７の曲げを緩くすることができ、ヒータコントロールの操作用リンク２の操作力を軽減し得、且つヒータコントロール本体１の組付時におけるグリースによる汚れを防止し得る。
【００２１】
尚、本発明のケーブル駆動式ヒータコントロール装置は、上述の図示例にのみ限定されるものではなく、本発明の要旨を逸脱しない範囲内において種々変更を加え得ることは勿論である。
【００２２】
【発明の効果】
以上、説明したように本発明のケーブル駆動式ヒータコントロール装置によれば、コントロールケーブルの配索の自由度を増し、コントロールケーブルの曲げを緩くすることができ、ヒータコントロールの操作用リンクの操作力を軽減し得、且つヒータコントロール本体の組付時におけるグリースによる汚れを防止し得るという優れた効果を奏し得る。
【図面の簡単な説明】
【図１】本発明を実施する形態の一例の平面図である。
【図２】本発明を実施する形態の一例の側断面図であって、図１のＩＩ−ＩＩ断面相当図である。
【図３】従来例の平面図である。
【符号の説明】
１          ヒータコントロール本体
２          操作用リンク
３          操作用リンク
４          操作用リンク
５          ヒータユニット（被操作媒体）
６          作動用リンク
７          コントロールケーブル
７ａ        アウタケーブル
７ｂ        インナケーブル
８          コントロールケーブル
８ａ        アウタケーブル
８ｂ        インナケーブル
９          コントロールケーブル
９ａ        アウタケーブル
９ｂ        インナケーブル
１０          ケーブル保持部
１１          ケーブル保持部
１２          ケーブル保持部
２１          遮蔽板
【図１】
0003641671.tif 000002
【図２】
0003641671.tif 000003
【図３】
0003641671.tif 000004